(57)【要約】【課題】良好に端子を位置決め可能なディスクドライブ装置を提供する。【解決手段】ディスクドライブ装置１は、リアパネル１３０を有する筐体１００と、この筐体１００内に収納されて、ケース体２１０、およびケース体２１０に固定されて一端から端子２３０が突出する回路基板２２０を有するドライブ装置本体２００と、を備えている。そして、ドライブ装置本体２００は、端子２３０の近傍に、端子を端子孔に挿通させた状態でリアパネル１３０に固定される端子連結部２４０を備え、筐体１００のリアパネル１３０は、端子連結部２４０が固定される端子固定孔をリアパネル１３０の面方向に対して略直交する方向に変位させるスリット孔１３３を備えた。【選択図】図３
2008217905.tif 000002
【特許請求の範囲】
【請求項１】
電力の供給により所定の電子処理を実施する電子処理部を内部に収納するケース体、およびこのケース体に固定されて前記電子処理部の処理を制御するとともに、一端縁から端子が突出して設けられる回路基板、を備えた電子装置本体と、
前記電子装置本体を所定位置に収納するとともに、前記端子を挿通する端子孔が設けられるリアパネルを備えた筐体と、を具備した電子機器であって、
前記電子装置本体は、前記端子の近傍に、前記端子を前記端子孔に挿通させた状態で前記リアパネルに連結される連結部を備え、
前記筐体の前記リアパネルは、前記連結部との連結位置近傍を、前記リアパネルの面方向に対して略直交する方向に所定寸法変位させる変位手段を備えた
ことを特徴とした電子機器。
【請求項２】
請求項１に記載の電子機器であって、
前記変位手段は、前記連結位置近傍に設けられるスリット孔である
ことを特徴とした電子機器。
【請求項３】
請求項２に記載の電子機器であって、
前記スリット孔は、略コ字状に形成され、このコ字両端部が前記端子孔を中心として互いに略対象となる位置に形成され、コ字にて囲われる領域内に前記連結部が連結される
ことを特徴とした電子機器。
【請求項４】
請求項１ないし請求項３のいずれかに記載の電子機器であって、
前記筐体は、前記電子装置本体を所定位置に位置決めする位置決め部を備えた
ことを特徴とした電子機器。
【請求項５】
請求項１ないし請求項４のいずれかに記載の電子機器であって、
前記回路基板は、前記電子処理部の処理を制御する複数の電子回路を搭載した
ことを特徴とした電子機器。
【請求項６】
請求項１ないし請求項５のいずれかに記載の電子機器であって、
前記筐体は、前記リアパネルと対向するとともに、所定位置に開口窓を有するフロントパネルを備え、
前記電子装置本体は、前記端子が設けられる一端側と反対側となる正面に、記録媒体を挿排する挿排口を備えるとともに、内部に前記挿排口から内部に収納された前記記録媒体の情報を読み込む読込処理および前記記録媒体に情報を書き込む書込み処理の少なくともいずれか一方の処理を実施する情報処理部を備えた記録媒体駆動装置であり、前記挿排口が前記フロントパネルの前記開口窓に臨む状態に、前記筐体内に位置決めされる
ことを特徴とした電子機器。
【発明の詳細な説明】
【技術分野】
【０００１】
本発明は、内部に所定の電子処理を実施する電子装置本体が収納され、この電子装置本体に設けられる端子が外部に突出する電子機器に関する。
【背景技術】
【０００２】
従来、記録媒体を処理するディスクドライブ装置が知られている（例えば、特許文献１）
【０００３】
この特許文献１に記載のものは、フレームのフロントパネルにディスク挿入口が設けられ、ディスク挿入口からフレーム内部にフロッピー（登録商標）ディスクが挿入可能に設けられたディスクドライブ装置である。このディスクドライブ装置は、複数のセンサが搭載されるセンサ回路基板と、ディスクドライブ装置における主制御回路が搭載されるメイン回路基板と、背面側に設けられるステッピングモータに接続される端子基板と、モータを駆動させるモータ基板と、などを備え、メイン回路基板と、センサ回路基板、端子基板、およびモータ基板とがそれぞれリード線により電気的に接続されている構成が採られている。
【０００４】
ところで、上記特許文献１のような構成のディスクドライブ装置では、各基板をリード線などの線材により接続する構成であるため、これらの線材や、線材を接続するためのコネクタが別途必要になる。また、これらの線材から不要な電磁波などが輻射され、この輻射電磁波の影響により各回路基板における制御に影響が出るという問題がある。
このような問題を解決するために、センサや端子、ディスクドライブ装置の主制御を実施する各回路を１つの回路基板上に搭載し、この回路基板をディスクドライブ装置に取り付ける構成も考えられる。
【０００５】
【特許文献１】特開２００２−１５５５５号公報
【発明の開示】
【発明が解決しようとする課題】
【０００６】
ところで、ディスクドライブ装置を筐体内に収納し、筐体のリアパネルに設けられる端子孔に、ディスクドライブ装置の回路基板に設けられた端子を挿通させる、例えば記録再生装置などの電子機器が知られている。このような電子機器では、ディスクドライブを筐体内の所定位置に位置決めし、かつ端子を端子孔から挿通させた状態で位置決めするために、筐体のリアパネルと端子近傍とを例えばねじ止めなどにより位置決めする必要がある。しかしながら、上記したような１つの回路基板上に複数の回路を搭載する構成のディスクドライブ装置では、端子近傍をリアパネルに位置決めすると、端子と回路基板との接続部である端子脚に応力がかかり、端子や回路基板が破損するおそれがあるという問題が一例として挙げられる。
【０００７】
本発明は、上記のような問題に鑑みて、良好に端子を位置決め可能な電子機器を提供することを１つの目的とする。
【課題を解決するための手段】
【０００８】
本発明の請求項１に記載の発明は、電力の供給により所定の電子処理を実施する電子処理部を内部に収納するケース体、およびこのケース体に固定されて前記電子処理部の処理を制御するとともに、一端縁から端子が突出して設けられる回路基板、を備えた電子装置本体と、前記電子装置本体を所定位置に収納するとともに、前記端子を挿通する端子孔が設けられるリアパネルを備えた筐体と、を具備した電子機器であって、前記電子装置本体は、前記端子の近傍に、前記端子を前記端子孔に挿通させた状態で前記リアパネルに連結される連結部を備え、前記筐体の前記リアパネルは、前記連結部との連結位置近傍を、前記リアパネルの面方向に対して略直交する方向に所定寸法変位させる変位手段を備えたことを特徴とした電子機器である。
【発明を実施するための最良の形態】
【０００９】
以下、本発明に係る一実施の形態の電子機器としてのディスクドライブ装置を図面に基づいて説明する。
図１は、本発明に係る一実施の形態のディスクドライブ装置をフロントパネル側から見た状態における全体斜視図である。図２は、前記実施の形態のディスクドライブ装置をリアパネル側から見た状態における全体斜視図である。図３は、前記実施の形態のディスクドライブ装置において、筐体にドライブ装置本体を取り付けた状態の概略を示す斜視図である。図４は、前記実施の形態のディスクドライブ装置の筐体を構成するリアパネルの斜視図である。
【００１０】
図１および図２において、１は、電子機器としてのディスクドライブ装置であり、このディスクドライブ装置１は、ディスク状の記録媒体、例えばＣＤ(Compact Disc)やＤＶＤ(Digital Versatile Disc)などの光ディスクにおける少なくとも一面に設けられた図示しない記録面に記録された情報を読み出す情報処理である読取処理および記録面へ各種情報を記録する情報処理である記録処理の少なくとも一方の処理をする。また、ディスクドライブ装置１は、例えば放送波などを受信するチューナ部、デジタル信号を所定のレベルに増幅して出力するアンプ部などの構成を備えたものであってもよい。
そして、このディスクドライブ装置１は、筐体１００と、筐体内部に収納される電子装置本体としてのドライブ装置本体２００（図３参照）と、図示しない電源部と、図示しない装置制御回路部と、などを備えている。
【００１１】
筐体１００は、図１ないし図４に示すように、基部１１０と、フロントパネル１２０と、リアパネル１３０と、天板１４０と、などを備えている。
基部１１０は、例えばアルミなどの金属略板状部材にて形成されている。この基部１１０は、底部１１１と、底部１１１に対して略直交する方向に立設される一対の側面部１１２とを備えている。
また、基部１１０の底部１１１には、一部が天板１４０側に突出する台座部１１３が設けられている。この台座部１１３には、所定位置にネジ孔部が形成されている。そして、台座部１１３には、図３に示すように、位置決め部としてのステイ１１４が載置され、例えばねじ止めなどにより固定されている。
【００１２】
ステイ１１４は、ディスクドライブ装置１の前後方向、すなわちフロントパネル１２０からリアパネル１３０に向かう方向に沿って長手棒状に形成されている。そして、このステイ１１４は、例えば断面略Ｌ字状に形成され、Ｌ字の一面が天板１４０に対向する状態に配設されている。
また、ステイ１１４は、長手方向に略直交する幅方向に突出するとともに、底部１１１の面方向と略平行するステイ取付部１１４Ａを備えている。このステイ取付部１１４Ａは、底部１１１の台座部１１３に対向する位置に設けられている。そして、ステイ取付部１１４Ａには、ステイ取付孔１１４Ｂが設けられ、このステイ取付孔１１４Ｂから台座部１１３のネジ孔部に取付ネジが螺合されることで、ステイ１１４が台座部１１３に固定されている。
また、ステイ１１４の天板１４０と対向する天板対向面１１４Ｃには、ドライブ装置本体２００を固定する図示しないドライブ固定孔が設けられている。
【００１３】
フロントパネル１２０は、両端部が基部１１０の側面部１１２に例えばねじ止めなどされることでそれぞれ固定されて、基部１１０に固定されている。このフロントパネル１２０は、リアパネル１３０に比べて高さ寸法が小さく形成されている。これにより、このフロントパネル１２０の上端縁と天板１４０との間は、所定寸法だけ開口する状態となり、開口部１２１が設けられている。また、フロントパネル１２０には、例えば電源ボタンやボリュームつまみなどの図示しない操作部が取り付けられている。さらに、フロントパネル１２０の正面側には、図１に示すように、略板状の外装板１２２が固定されている。この外装板１２２は、ディスクドライブ装置１の正面外装を形成する。この外装板１２２には、開口窓としての開口部１２１に対向する位置に、ドライブ挿通窓１２３が形成されている。このドライブ挿通窓１２３には、ドライブ装置本体２００の正面側に設けられる後述する化粧板２０１が臨んで設けられている。また、外装板１２２には、前記した操作部に対応する位置に、開口部が設けられている。
【００１４】
リアパネル１３０は、例えば金属製の略板状部材であり、筐体１００のフロントパネル１２０が設けられる正面側と反対側に配設されている。このリアパネル１３０は、両端部が側面部１１２に例えばねじ止めなどされて固定されることで、基部１１０に固定されている。そして、このリアパネル１３０は、図４に示すように、端子挿通部１３０Ａと、ドライブ固定部１３４と、電源ケーブルを挿通する電源挿通孔１３５、筐体１００の内部を冷却する図示しない冷却ファンの空気流通口１３６、ディスクドライブ装置１と他の外部機器とを接続する外部入出力端子が挿通される入出力端子孔１３７と、などが設けられている。
【００１５】
端子挿通部１３０Ａは、端子孔１３１と、端子固定孔１３２と、変位手段としてのスリット孔１３３と、などを備えている。
端子孔１３１は、後述するドライブ装置本体２００から背面側に突設される端子２３０を挿通する。具体的には、端子孔１３１は、各端子２３０の形状および数量に対応して、例えばコンポーネント端子に対応した円形端子孔１３１Ａや、ＨＤＭＩ端子に対向したＨＤＭＩ端子孔１３１Ｂなどを備えている。
【００１６】
端子固定孔１３２は、ドライブ装置本体２００の端子２３０の近傍に設けられる端子連結部２４０に対向する状態に設けられている。この端子固定孔１３２は、筐体１００の外部から固定ネジが挿通され、ドライブ装置本体２００の連結部としての端子連結部２４０に螺合されることで、端子連結部２４０と連結される。
【００１７】
スリット孔１３３は、端子固定孔１３２を囲う状態に略コ字状に開口形成されている。具体的には、スリット孔１３３は、コ字両端部１３３Ａ，１３３Ｂが端子孔１３１の近傍に設けられ、端子固定孔１３２側に延出して、この端子固定孔１３２を囲う形状に形成されている。また、スリット孔１３３は、図４に示すように、端子固定孔１３２が複数設けられている場合、コ字連結部１３３Ｃがこれらの端子固定孔１３２の配列方向に長手となる状態に形成される。このスリット孔１３３に囲われる端子固定孔１３２近傍がリアパネルの面方向に対して略直交する方向に弾性変形可能となる。
また、このスリット孔１３３のコ字を形成する角部は、曲線形状に形成されている。さらには、スリット孔１３３の開口幅寸法は、例えば長手状の針金などが挿通不可能な寸法、例えば２ｍｍ以下に設定されている。
【００１８】
次に、ドライブ装置本体２００の説明をする。
ドライブ装置本体２００は、ケース体２１０を備えている。このケース体２１０は、フロントパネル１２０側の面に図示しない挿排口を有し、この挿排口から記録媒体を載置可能な図示しないトレイがケース体２１０の内外に出し入れ可能に設けられている。
また、ケース体２１０の内部には、トレイにより搬入された記録媒体に対して、記録媒体に記録された情報を読み出す読み込み処理や、記録媒体に情報を書き込む書き込み処理を実施する図示しない電子処理部としての情報処理部が設けられている。
また、ケース体２１０の底面側には、回路基板２２０が固定されている。この回路基板２２０は、ドライブ装置本体２００の正面側から筐体１００のリアパネル１３０に亘って長手略板状に形成されている。そして、この回路基板２２０には、情報処理部による情報処理動作の実施を制御する処理制御回路、トレイの進退を制御する搬送制御回路、トレイにより搬入された記録媒体を情報処理部にて処理可能な状態で保持する保持制御回路、端子２３０から入力された情報を各回路に出力し、各回路からの情報を端子２３０に伝達する端子回路、ドライブ装置本体２００の全体動作を制御するメイン回路などの各種電子回路が基板上で電気的に接続される状態で搭載されている。また、この回路基板２２０の背面側、すなわちリアパネル１３０の近傍には、端子回路に接続される端子２３０がリアパネル１３０側に突出して設けられている。
【００１９】
端子２３０は、端子本体２３１と、端子本体２３１と回路基板２２０の端子回路とを接続する端子脚２３２と、を備えている。また、端子本体２３１は、例えば外周部にグランド接続部が設けられている。このグランド接続部は、リアパネル１３０と端子孔１３１の周部と当接可能に設けられ、リアパネル１３０と接触することにより接地されている。
【００２０】
また、端子２３０の近傍には、端子連結部２４０が設けられている。この端子連結部２４０は、リアパネル１３０の端子固定孔１３２から挿通されるネジ部材が螺合されることで、リアパネル１３０の端子固定孔１３２に固定される。
【００２１】
電源部は、筐体１００内に設けられるとともに、ドライブ装置本体２００や、装置制御回路部、ディスクドライブ装置１内に配設されるその他の電子部品に電力を供給可能に接続されている。また、電源部は、リアパネル１３０の電源挿通孔１３５から外部に挿通されるケーブルを備え、このケーブルを例えば外部電源に接続することで電力を取得している。
【００２２】
装置制御回路部は、電源部に接続され、電源部から供給される電力により、ディスクドライブ装置１全体の動作を制御している。具体的には、制御回路部は、ドライブ装置本体２００の回路基板２２０や、リアパネル１３０の空気流通口１３６近傍に設けられる空冷ファンや、入出力端子孔１３７近傍に設けられる入出力端子、フロントパネル１２０近傍に設けられる各種操作部などに電機的に接続され、これら各電子部品の電子動作処理を制御している。
【００２３】
〔ディスクドライブ装置の組立〕
次に、上記ディスクドライブ装置１の組立におけるドライブ装置本体２００の設置方法について説明する。
【００２４】
ディスクドライブ装置１の筐体１００にドライブ装置本体２００を設置するためには、先ず、筐体１００の基部１１０に設けられる台座部１１３にステイ１１４を固定する。この固定方法としては、例えばねじ止めや溶接など、各種固定方法を利用することができる。
【００２５】
この後、ステイ１１４上にドライブ装置本体２００を載置する。この時、ドライブ装置本体２００の挿排口が設けられる正面側面を、フロントパネル１２０の面方向と略一致するようにドライブ装置本体２００の正面側位置を位置決めする。具体的には、フロントパネル１２０に配設される外装板１２２と、ドライブ装置本体２００の化粧板２０１とが略同一面内に配置される状態に、ドライブ装置本体２００を位置決めし、ドライブ装置本体２００をステイ１１４に例えばねじ止めなどにより固定する。
【００２６】
この後、ドライブ装置本体２００の背面側に設けられる端子２３０の端子本体２３１を端子孔１３１に挿通させ、リアパネル１３０から外方に突出させる。
そして、リアパネル１３０のドライブ固定部１３４に例えば固定ネジを挿通し、ドライブ装置本体２００の背面側に設けられる図示しない固定部に螺合させることで、ドライブ装置本体２００とリアパネル１３０とを固定する。
この後、リアパネル１３０の端子固定孔１３２から固定ネジを挿通し、端子連結部２４０に螺合させて固定する。これにより、端子連結部２４０および端子２３０の端子本体２３１に設けられるグランド端子部がリアパネル１３０に当接し、端子２３０が筐体１００を介してアースされる。
また、この時、リアパネル１３０の端子固定孔１３２の周囲にはスリット孔１３３が設けられているため、このスリット孔１３３に囲われる端子固定孔１３２近傍が、リアパネル１３０の面方向に対して略直交する方向に撓み、変位可能となる。これにより、例えばドライブ装置本体２００の製造誤差などにより、端子連結部２４０の位置がリアパネル１３０の面上に位置しない場合でも、スリット孔１３３に囲われる部分を変位させて端子連結部２４０を端子固定孔１３２に連結させて固定させることが可能となる。
以上により、筐体１００にドライブ装置本体２００が固定される。
【００２７】
〔ディスクドライブ装置の作用効果〕
上述したように、上記実施の形態のディスクドライブ装置１では、筐体１００のリアパネル１３０に、ドライブ装置本体２００の端子を挿通する端子孔１３１と、この端子孔１３１の近傍にドライブ装置本体２００の端子連結部２４０を固定する端子固定孔１３２と、この端子固定孔１３２を、リアパネル１３０の面方向に対して略直交する方向に変位させるスリット孔１３３と、を備えている。
このため、ドライブ装置本体２００を筐体１００に位置決めした後、端子孔１３１に端子２３０の端子本体２３１を挿通させ、端子連結部２４０と端子固定孔１３２とを連結させる際に、端子固定孔１３２をリアパネル１３０の面方向に略直交する前後方向に変位させることができる。したがって、例えばドライブ装置本体２００の製造誤差や、ドライブ装置本体２００の位置決め誤差などにより、端子２３０がリアパネル１３０の面上に配設されない場合でも、端子２３０に応力がかかることがなく、端子固定孔１３２を容易に変位させて端子連結部２４０に連結させることができる。よって、端子脚２３２の破損を防止でき、良好に端子２３０をリアパネル１３０に固定することができる。
【００２８】
また、リアパネル１３０にスリット孔１３３を設けるだけの簡単な構成で、端子固定孔１３２近傍を変位させることができ、簡単な構成で、端子２３０の端子脚２３２への応力付加を軽減することができる。
また、スリット孔１３３は、リアパネル１３０の製造時に、例えばパンチングなどにより容易に形成することができ、端子固定孔１３２を変位させる構成を容易に形成することができる。
【００２９】
また、スリット孔１３３は、略コ字状に形成され、端子固定孔１３２は、このコ字に囲われる位置に設けられている。
このため、スリット孔１３３のコ字開口部分を撓ませることで、容易にスリット孔１３３に囲われる部分をリアパネル１３０の面方向に対して略直交する方向により簡単に変位させることができる。よって、より簡単な構成で端子固定孔１３２を変位させて端子２３０の端子脚２３２への応力を軽減させることができる。
【００３０】
また、筐体１００は、基部１１０の台座部１１３にステイ１１４が固定され、ドライブ装置本体２００は、正面側をフロントパネル１２０に位置決めした状態で、このステイ１１４にドライブ装置本体２００が固定されている。
このような構成では、リアパネル１３０と端子２３０とを位置決めする際に、例えば製造誤差などにより、端子連結部２４０とリアパネル１３０との位置がずれる場合があるが、上記のようにスリット孔１３３により端子固定孔１３２を変位させることができるため、良好にリアパネル１３０と端子２３０との位置決めをも実施することができる。したがって、筐体１００にドライブ装置本体２００の正面側および背面側の端子２３０の位置決めを実施することができ、ドライブ装置本体２００を筐体１００に良好に組み込むことができるとともに、意匠性も良好にすることができる。
【００３１】
さらに、ドライブ装置本体２００は、処理制御回路、搬送制御回路、保持制御回路、端子回路、などの各種電子回路を搭載した回路基板２２０を備えている。
このため、各電子回路を接続するリード線などの線材が不要となり、これら線材から発生する電磁波の輻射の影響をなくすことができる。したがって、ドライブ装置本体２００における情報処理動作を良好に実施させることができる。また、このような回路基板２２０を用いた場合でも、上記のように、端子脚２３２への応力を軽減することができ、良好にドライブ装置本体２００を筐体１００に組み付けることができる。
【００３２】
また、スリット孔１３３は、幅寸法が針金などの線材が進入不可能な例えば２ｍｍ以下となるように、形成されている。
このため、スリット孔１３３から電源部に向かって針金などが挿通されて動作不良を起こす不都合を防止できる。
【００３３】
さらに、スリット孔１３３は、コ字角部が曲線状に形成されている。
このため、スリット孔１３３の角部で、他の部材が接触した際に傷がついたり損傷したりすることなく、また例えば利用者が接触したとしても負傷することなく、安全性を良好にできる。
【００３４】
また、端子本体２３１のグランド端子部がリアパネル１３０に接触するため、端子２３０をリアパネル１３０を介して良好にアースすることができる。
さらに、ドライブ装置本体２００は、ドライブ固定部１３４にてねじ止めされてリアパネル１３０に固定されている。このため、ドライブ装置本体２００とリアパネル１３０とが接触し、ドライブ装置本体２００をリアパネル１３０を介してアースすることができる。
【００３５】
〔他の実施の形態〕
なお、本発明は、上述した実施の形態に限定されるものではなく、本発明の目的を達成できる範囲で以下に示される変形をも含むものである。
【００３６】
すなわち、上記実施の形態では、電子機器としてディスクドライブ装置１を例示し、筐体１００にディスクを処理するドライブ装置本体２００を固定する構成を例示したが、これに限られない。例えば、筐体内にアンプ装置を内蔵し、アンプから突出する端子を筐体のリアパネルから突出させるオーディオ装置などに適用してもよく、その他、筐体外に端子部が突出する電子機器に適用することができる。
また、上記実施の形態では、ドライブ装置本体２００の端子２３０に対応して、リアパネル１３０にスリット孔１３３を設ける構成としたが、リアパネル１３０の他の孔部に同様のスリット孔を設ける構成としてもよい。
【００３７】
また、変位手段として、リアパネル１３０にスリット孔１３３を設ける構成としたが、リアパネル１３０の面方向に変位可能な弾性板部材を設け、この弾性板部材に端子２３０の端子連結部２４０を連結させる構成などとしてもよい。
【００３８】
また、スリット孔１３３は、コ字連結部１３３Ｃがこれらの端子固定孔１３２の配列方向に長手となる状態に形成される例を示したが、例えば、個々の端子固定孔１３２にそれぞれ独立したスリット孔１３３を設けるなどの構成としてもよい。
また、スリット孔１３３のコ字連結部１３３Ｃの中間位置から、互いに隣り合う端子固定孔１３２の間に延出する切欠部を設ける構成などとしてもよい。
上記のような構成では、複数の端子連結部２４０のリアパネル１３０からの距離寸法がそれぞれ異なる場合でも、端子固定孔１３２をそれぞれの端子連結部２４０の位置に合わせて変位させることができ、端子脚２３２への応力をより効率的に軽減させることができる。
【００３９】
その他、本発明の実施の際の具体的な構造および手順は、本発明の目的を達成できる範囲で他の構造などに適宜変更できる。
【００４０】
〔実施の形態の効果〕
上述したように、上記実施の形態のディスクドライブ装置１では、筐体１００のリアパネル１３０に、ドライブ装置本体２００の端子を挿通する端子孔１３１と、この端子孔１３１の近傍にドライブ装置本体２００の端子連結部２４０を固定する端子固定孔１３２と、この端子固定孔１３２を、リアパネル１３０の面方向に対して略直交する方向に変位させるスリット孔１３３と、を備えている。
このため、ドライブ装置本体２００を筐体１００に位置決めした後、端子孔１３１に端子２３０の端子本体２３１を挿通させ、端子連結部２４０と端子固定孔１３２とを連結させる際に、端子固定孔１３２をリアパネル１３０の面方向に略直交する前後方向に変位させることができる。したがって、例えばドライブ装置本体２００の製造誤差や、ドライブ装置本体２００の位置決め誤差などにより、端子２３０がリアパネル１３０の面上に配設されない場合でも、端子２３０に応力がかかることがなく、端子固定孔１３２を容易に変位させて端子連結部２４０に連結させることができる。よって、端子脚２３２の破損を防止でき、良好に端子２３０をリアパネル１３０に固定することができる。
【図面の簡単な説明】
【００４１】
【図１】本発明に係る一実施の形態のディスクドライブ装置をフロントパネル側から見た状態における全体斜視図である。
【図２】前記実施の形態のディスクドライブ装置をリアパネル側から見た状態における全体斜視図である。
【図３】前記実施の形態のディスクドライブ装置において、筐体にドライブ装置本体を取り付けた状態の概略を示す斜視図である。
【図４】前記実施の形態のディスクドライブ装置の筐体を構成するリアパネルの斜視図である。
【符号の説明】
【００４２】
１…電子機器としてのディスクドライブ装置
１００…筐体
１１４…位置決め部としてのステイ
１２０…フロントパネル
１２１…開口窓としての開口部
１３０…リアパネル
１３１…端子孔
１３３…変位手段としてのスリット孔
２００…電子装置本体としてのドライブ装置本体
２１０…ケース体
２２０…回路基板
２３０…端子
２４０…連結部としての端子連結部
【図１】
2008217905.tif 000003
【図２】
2008217905.tif 000004
【図３】
2008217905.tif 000005
【図４】
2008217905.tif 000006